(57)【要約】【課題】  ＦＰＣケーブルからの放射ノイズの低減。【解決手段】電気光学装置は、走査線とデータ線との交差に対応してそれぞれ設けられた複数の画素を備えた電気光学パネルと、データ線に供給するデータ信号を生成するデータ信号生成部と、データ信号生成部からデータ線へとデータ信号ｄｋを供給するための、ＦＰＣケーブル６０を構成する信号線６５と、を備える。データ信号生成部は、前記複数の画素のうちの第Ｘ番目の画素（Ｘは適当な正の整数）に対応するデータ線に供給すべきデータ信号を、信号線へと供給した後、前記第Ｘ番目の画素に隣接する第（Ｘ＋１）番目の画素に対応するデータ線に供給すべきデータ信号を、当該信号線へと供給する。例えば図においては、データ線の列数が１９２０ある場合（不図示）が前提とされているが、図中最左端の信号線６５には、データ信号ｄ１，ｄ２，…，ｄ２０が継時的に順次供給されている。【選択図】図６
2011107299.tif 000002
【特許請求の範囲】
【請求項１】
複数の走査線と、これに交差して延びる複数のデータ線と、前記走査線と前記データ線との交差に対応してそれぞれ設けられた複数の画素を備えた電気光学パネルと、
前記データ線に供給するデータ信号を生成するデータ信号生成部と、
前記データ信号生成部から前記データ線へと前記データ信号を供給するための信号線と、
を備え、
前記データ信号生成部は、
前記複数の画素のうちの第Ｘ番目の画素（Ｘは適当な正の整数）に対応する前記データ線に供給すべき前記データ信号を、前記信号線へと供給した後、
前記第Ｘ番目の画素に隣接する第（Ｘ＋１）番目の画素に対応する前記データ線に供給すべき前記データ信号を、当該信号線へと供給する、
ことを特徴とする電気光学装置。
【請求項２】
前記複数の画素の各々は、
画素電極、対向電極、前記画素電極と前記対向電極との間に挟持された電気光学物質からなる電気光学素子、並びに、前記画素電極と前記データ線との間に設けられ前記走査線を介して供給される走査信号によってオン状態及びオフ状態のうちいずれか一方の状態となるように制御されるスイッチング素子を更に備え、
前記データ信号生成部は、
前記複数の画素によって１画面を表示するのに要する期間をフィールド期間とし、前記フィールド期間を複数のサブフィールド期間で構成したとき、前記複数のサブフィールド期間の各々において、前記スイッチング素子をオン状態とする走査信号が前記複数の走査線に順次供給されて、前記走査線ごとに前記画素が選択される際に、
その選択された画素に対応する前記データ線及び前記画素電極に、表示すべき画像に応じた前記データ信号を供給する、
ことを特徴とする請求項１に記載の電気光学装置。
【請求項３】
前記信号線はＹ本あるとともに、前記データ線は（Ｙ×Ｚ）本以上あり（Ｙ，Ｚはともに２以上の適当な正の整数）、
前記データ信号生成部は、
第１，第２，…，第Ｙ番目の信号線の各々に対して、
第１回目の前記データ信号の供給の際には、
第１，第（Ｚ＋１），第（２Ｚ＋１），…，第｛（Ｙ−１）Ｚ＋１｝番目の前記データ線に供給すべき前記データ信号を同時に供給し、
第２回目の前記データ信号の供給の際には、
第２，第（Ｚ＋２），第（２Ｚ＋２），…，第｛（Ｙ−１）Ｚ＋２｝番目の前記データ線に供給すべき前記データ信号を同時に供給し、
… … …
第Ｚ回目の前記データ信号の供給の際には、
前記第（Ｚ），前記第（２Ｚ），前記第（３Ｚ），…，前記第（ＹＺ）番目の前記データ線に供給すべき前記データ信号を同時に供給する、
ことを特徴とする請求項１又は２に記載の電気光学装置。
【請求項４】
請求項１乃至３のうちいずれか一項に記載の電気光学装置を備えたことを特徴とする電子機器。
【請求項５】
複数の走査線と、これに交差して延びる複数のデータ線と、前記走査線と前記データ線との交差に対応してそれぞれ設けられた複数の画素を備えた電気光学パネルと、前記データ線に供給するデータ信号を生成するデータ信号生成部と、前記データ信号生成部から前記データ線へと前記データ信号を供給するための信号線と、を備えた電気光学装置の駆動方法であって、
前記データ信号生成部は、
前記複数の画素のうちの第Ｘ番目の画素（Ｘは適当な正の整数）に対応する前記データ線に供給すべき前記データ信号を、前記信号線へと供給した後、
前記第Ｘ番目の画素に隣接する第（Ｘ＋１）番目の画素に対応する前記データ線に供給すべき前記データ信号を、当該信号線へと供給する、
ことを特徴とする電気光学装置の駆動方法。
【発明の詳細な説明】
【技術分野】
【０００１】
本発明は、液晶など電気光学物質を用いた電気光学装置、電気光学装置の駆動方法、並びに、電子機器の技術分野に関する。
【背景技術】
【０００２】
電気エネルギーによって光学特性が変化する電気光学物質として、液晶が知られている。液晶は印加電圧に応じて透過率が変化する。この透過率の変化は、液晶分子の配向状態が印加電圧に応じて変化することによって得られる。また、液晶には、直流電圧を長時間印加すると、配向状態が元に戻りにくくなる性質がある。このため、液晶を表示装置に適用した液晶表示装置では、電気光学素子たる液晶素子に印加する電圧の極性を反転する交流駆動が採用される。
【０００３】
一般的に、この種の液晶表示装置は、複数の走査線と、複数のデータ線と、走査線とデータ線の交差に対応して設けられた複数の画素を備え、これらの複数の画素は、画素電極、対向電極、及びこれら画素電極と対向電極との間に挟持された液晶からなる液晶素子を有する。また、この液晶素子への印加電圧を反転する手法として、対向電極の電位（以下、対向電極電位と称する）を固定し、データ線を介して供給するデータ電位の極性を、対向電極電位を中心して反転させるものが知られている。
【０００４】
特に、特許文献１等では、この種の液晶表示装置において階調表示を行う場合に、電圧変調方式（アナログ駆動方式）に代わるものとして、１フィールドを複数のサブフィールドに分割するとともに、各サブフィールドにおいて画素（液晶素子）にオンまたはオフ電圧を印加して、１フィールドにおいて画素にオン電圧（またはオフ電圧）が印加される時間の割合を変化させることによって階調表示を行う技術、所謂、デジタル時分割駆動によって階調表示を行う技術が開示されている。
更に、特許文献２等では、この種のサブフィールドを用いた液晶表示装置において、サブフィールドの期間に重み付けを行いつつ階調表示を行う技術が開示されている。この技術によれば、液晶の過渡応答特性を積極的に利用することで、より少ないサブフィールドの数でより多くの階調レベルが表現可能となることが知られている。
【先行技術文献】
【特許文献】
【０００５】
【特許文献１】特開２００３−１１４６６１号公報
【特許文献２】特開２００８−２０７０６３号公報
【発明の概要】
【発明が解決しようとする課題】
【０００６】
しかしながら、これら特許文献１及び２等の技術においては、次のような問題がある。
すなわち、前述のようなサブフィールド駆動方式では、ハイ又はローの２種のパルス信号（データ信号）を高速に、かつ多数回、転送する必要があることから、消費電流の増加、あるいは放射ノイズの発生が問題となる。例えば、データ信号の電圧の大小の程度が直接的に階調を指定するアナログ駆動方式においては、画素数がα行×β列であるときには、データ転送はα×β〔回〕行えば十分であるのに対して、サブフィールド駆動方式では、１フィールド期間中のサブフィールド期間の数をγとすると、同じ内容の画像を表示する場合でも、データ転送はα×β×γ〔回〕行う必要があることになる。
液晶表示装置が、それぞれ別部位として用意される、液晶素子を主に含む液晶パネルと、これに供給するためのデータ信号を生成するデータ信号生成回路部、更に、これら両者を繋ぐＦＰＣケーブルを含んで構成される場合、前記のような問題は特に、そのＦＰＣケーブルにおける放射ノイズの発生というかたちで問題になる。これは、外部への影響を及ぼしやすい部位であるため、上述した問題は更に深刻化する。
【０００７】
本発明は、上述した課題の少なくとも一部を解決することの可能な、電気光学装置及びその駆動方法、並びに電子機器を提供することを目的とする。
【課題を解決するための手段】
【０００８】
本発明の電気光学装置は、上述した課題を解決するため、複数の走査線と、これに交差して延びる複数のデータ線と、前記走査線と前記データ線との交差に対応してそれぞれ設けられた複数の画素を備えた電気光学パネルと、前記データ線に供給するデータ信号を生成するデータ信号生成部と、前記データ信号生成部から前記データ線へと前記データ信号を供給するための信号線と、を備え、前記データ信号生成部は、前記複数の画素のうちの第Ｘ番目の画素（Ｘは適当な正の整数）に対応する前記データ線に供給すべき前記データ信号を、前記信号線へと供給した後、前記第Ｘ番目の画素に隣接する第（Ｘ＋１）番目の画素に対応する前記データ線に供給すべき前記データ信号を、当該信号線へと供給する。
【０００９】
本発明によれば、隣接する画素の各々に向けて供給されるべき２個のデータ信号のうち、最初のものが第１時点において信号線に供給され、次のものが前記第１時点よりも後の第２時点において当該信号線に供給される。なお、３つ以上の画素が存在する場合においては、前記第（Ｘ＋１）番目の画素を新たに前記第Ｘ番目の画素とみなして、同様のデータ信号の供給を繰り返すことが可能である。この場合結局、適当に定められた上限数を限界として、第３時点，第４時点，第５時点，…と続く各時点において、同じ信号線に、先に供給されたデータ信号に対応する画素に隣接する画素用のデータ信号が引き続き供給されていくことになる。
このことと、一般に、ある１枚の静止画像内における空間的な階調変化は、隣り合う画素同士間で見る限り、僅かであること とから、本発明によれば、前記信号線における電位変動の回数は比較的少なくなることになる。
したがって、本発明によれば、信号線の電位変動に起因して生じる放射ノイズの発生を実効的に抑制することができる。
なお、上述したように、ＦＰＣケーブルによる放射ノイズの発生が抑制されると好適であるから、本発明に係る「信号線」がＦＰＣケーブルを構成する、という場合が、本発明の具体例のうち最も好適な一例を提供する。
【００１０】
この発明の電気光学装置では、前記複数の画素の各々は、画素電極、対向電極、前記画素電極と前記対向電極との間に挟持された電気光学物質からなる電気光学素子、並びに、前記画素電極と前記データ線との間に設けられ前記走査線を介して供給される走査信号によってオン状態及びオフ状態のうちいずれか一方の状態となるように制御されるスイッチング素子を更に備え、前記データ信号生成部は、前記複数の画素によって１画面を表示するのに要する期間をフィールド期間とし、前記フィールド期間を複数のサブフィールド期間で構成したとき、前記複数のサブフィールド期間の各々において、前記スイッチング素子をオン状態とする走査信号が前記複数の走査線に順次供給されて、前記走査線ごとに前記画素が選択される際に、その選択された画素に対応する前記データ線及び前記画素電極に、表示すべき画像に応じた前記データ信号を供給する、ように構成してもよい。
この態様によれば、前述したようなサブフィールド駆動が行われる。このサブフィールド駆動においては、アナログ駆動によれば１回のデータ信号の供給だけで済むところ、前記サブフィールド期間の数だけデータ信号の供給を行わなければならない。つまり、それだけ信号線の電位変動の頻度は大きくなる可能性があり、したがって、放射ノイズの発生という不具合の発生するおそれは極めて高くなる。
しかるに、本発明においては、前述のように、同一の信号線には、隣接する画素に向けて供給されるべきデータ信号が、時間を追って順次に供給されるようになっており、これによって、放射ノイズの発生が極力抑制されるようになっているのである。つまり、本発明は、本態様のようにサブフィールド駆動が行われる場合に適用される場合において、最も好適な一具体例を提供する。
なお、前記サブフィールド期間が、１フィールド期間中何個設けられるべきかについて、本発明は特に限定しない。また、各サブフィールド期間についてその長さを変えること、即ちいわゆる重み付けを行うことも、本発明の範囲内にある。
【００１１】
本発明の電気光学装置では、前記信号線はＹ本あるとともに、前記データ線は（Ｙ×Ｚ）本以上あり（Ｙ，Ｚはともに２以上の適当な正の整数）、前記データ信号生成部は、第１，第２，…，第Ｙ番目の信号線の各々に対して、第１回目の前記データ信号の供給の際には、第１，第（Ｚ＋１），第（２Ｚ＋１），…，第｛（Ｙ−１）Ｚ＋１｝番目の前記データ線に供給すべき前記データ信号を同時に供給し、第２回目の前記データ信号の供給の際には、第２，第（Ｚ＋２），第（２Ｚ＋２），…，第｛（Ｙ−１）Ｚ＋２｝番目の前記データ線に供給すべき前記データ信号を同時に供給し、… … …、第Ｚ回目の前記データ信号の供給の際には、前記第（Ｚ），前記第（２Ｚ），前記第（３Ｚ），…，前記第（ＹＺ）番目の前記データ線に供給すべき前記データ信号を同時に供給する、ように構成してもよい。
この態様によれば、データ信号生成部から電気光学パネルへ向けて、効率的なデータ信号の転送を行うことができる。
なお、本態様においては、データ線の数は、ＹＺ本「以上」ある。仮に、データ線の数が（ＹＺ＋１）本あるとするならば、その数は信号線の数の倍数にならず、いわば余分が生じることになるが、本発明は、このような場合でも特に問題なく、その適用を考えることができる。隣接し合う画素の各々に向けて供給されるべきデータ信号が、ある特定の信号線において時間を前後して供給されるようになっているのであれば、本発明が要求する条件は満たされるのであるから、前記余分なデータ線については、適当なタイミングにおいて、必要なデータ信号を供給しておけばよい。
【００１２】
また、上述した電気光学装置は、そのような電気光学装置を含む電子機器、あるいは当該電気光学装置において好適に採用可能な駆動方法の発明として捉えることができ、以下の如くである。
【００１３】
すなわち、本発明の電子機器は、上記課題を解決するために、上述した各種の電気光学装置を備える。
【００１４】
また、本発明の電気光学装置の駆動方法は、上述した課題を解決するため、複数の走査線と、これに交差して延びる複数のデータ線と、前記走査線と前記データ線との交差に対応してそれぞれ設けられた複数の画素を備えた電気光学パネルと、前記データ線に供給するデータ信号を生成するデータ信号生成部と、前記データ信号生成部から前記データ線へと前記データ信号を供給するための信号線と、を備えた電気光学装置の駆動方法であって、前記データ信号生成部は、前記複数の画素のうちの第Ｘ番目の画素（Ｘは適当な正の整数）に対応する前記データ線に供給すべき前記データ信号を、前記信号線へと供給した後、前記第Ｘ番目の画素に隣接する第（Ｘ＋１）番目の画素に対応する前記データ線に供給すべき前記データ信号を、当該信号線へと供給する。
【図面の簡単な説明】
【００１５】
【図１】本発明の実施形態に係る電気光学装置１の全体構成を示すブロック図である。
【図２】画素１１０の詳細な構成を示す図であり、ｉ行およびこれに隣接する（ｉ＋１）行と、ｊ列およびこれに隣接する（ｊ＋１）列との交差に対応する２×２の計４画素分の構成を示した模式図である。
【図３】サブフィールドの構成を示す模式図である。
【図４】各サブフィールドのオンオフ変換を示す表である。
【図５】データ線駆動回路１４０の構成を示す回路図である。
【図６】各信号線６５に、如何なるデータ信号がどのような順番で供給されるかを表現する説明図である。
【図７】サークルパターンを表示する場合におけるデータ転送態様を説明するための説明図である。
【図８】図６の比較例である。
【図９】図７の比較例である。
【図１０】グレイスケールを表示する場合におけるデータ転送態様を説明するための説明図である。
【図１１】図１０の比較例である。
【図１２】本発明に係る電気光学装置を適用した電子機器を示す斜視図である。
【図１３】本発明に係る電気光学装置を適用した他の電子機器を示す斜視図である。
【図１４】本発明に係る電気光学装置を適用したさらに他の電子機器を示す斜視図である。
【発明を実施するための形態】
【００１６】
以下では、本発明に係る実施の形態について図１及び図２を参照しながら説明する。
図１は、本実施形態に係る電気光学装置１の全体構成を示すブロック図である。
この図１に示されるように、電気光学装置１は、制御回路１０、メモリ２０、変換テーブル３０、表示領域１００、走査線駆動回路１３０およびデータ線駆動回路１４０に大別される。このうち、制御回路１０は、後述するように各部を制御するものである。
【００１７】
表示領域１００には、画素がマトリクス状に配列している。詳細には、表示領域１００には、１０８０行の走査線（書込走査線）１１２が図において水平のＸ方向に延在し、１９２０列のデータ線１１４が走査線１１２と電気的な絶縁を保ちつつ、図において垂直のＹ方向に延在している。そして、これらの走査線１１２とデータ線１１４との交差に対応するように画素１１０がそれぞれ設けられている。したがって、本実施形態において、画素１１０は、縦１０８０行×横１９２０列のマトリクス状に配列することになるが、本発明をこの配列に限定する趣旨ではない。
【００１８】
メモリ２０は、縦１０８０行×横１９２０列で配列する画素に対応した記憶領域を有し、各記憶領域は、それぞれに対応する画素１１０の表示データＤaを記憶する。表示データＤaは、画素１１０の明るさ（階調レベル）を指定するものであり、本実施形態では、「０」から「２５５」まで、「１」毎の刻みの２５６段階で指定する。ここで、階調レベル「０」が最低階調の黒色を指定し、階調レベルが上がるにつれて徐々に明るさが増し、階調レベル「２５５」が最高階調の白色を指定するものとする。
なお、この表示データＤaは、図示しない上位装置から供給されて、画素に対応する記憶領域に記憶される一方で、表示領域１００で走査される画素に対応したものがメモリ２０から読み出される構成となっている。
【００１９】
変換テーブル３０は、メモリ２０から読み出された表示データＤaを、当該表示データＤaで指定される階調レベル、および、サブフィールドにしたがって、画素１１０（液晶素子）にオンまたはオフ電圧のどちらを印加するのかを示すデータＤＡＴＡ１，ＤＡＴＡ２，…，ＤＡＴＡ９６に変換するものである。なお、この変換内容については後述する。
以上のうち、表示領域１００と、制御回路１０、走査線駆動回路１３０及びデータ線駆動回路１４０とは液晶パネル部４０を構成し、メモリ２０と変換テーブル３０とはデータ信号生成回路部５０を構成する。これら液晶パネル部４０とデータ信号生成回路部５０とは、ＦＰＣ（Flexible Printed Circuits）ケーブル６０によって電気的に接続される。ＦＰＣケーブル６０は、図示するように９６本の信号線６５を備える。これら９６本の信号線６５には、前述したデータＤＡＴＡ１，ＤＡＴＡ２，…，ＤＡＴＡ９６の各々が一定の規則に従って供給されるが、この点については後述する。
【００２０】
＜画素の構成＞
説明の便宜上、画素１１０の構成について図２を参照して説明する。図２は、本実施形態に係る画素１１０の詳細な構成を示す図であり、ｉ行およびこれに隣接する（ｉ＋１）行と、ｊ列およびこれに隣接する（ｊ＋１）列との交差に対応する２×２の計４画素分の構成を示した模式図である。ここで、ｉ、（ｉ＋１）とは、画素１１０が配列する行を一般的に示す場合の記号であって、本実施形態では、１以上１０８０以下の整数であり、ｊ、（ｊ＋１）とは、画素１１０が配列する列を一般的に示す場合の記号であって、１以上１９２０以下の整数である。
【００２１】
図２に示されるように、各画素１１０は、ｎチャネル型のトランジスタ（ＭＯＳ型ＦＥＴ）１１６と液晶素子１２０とを含む。
ここで、各画素１１０については互いに同一構成なので、ｉ行ｊ列に位置するものに代表して説明すると、当該ｉ行ｊ列の画素１１０におけるトランジスタのゲート電極はｉ行目の走査線１１２に接続される一方、そのソース電極はｊ列目のデータ線１１４に接続され、そのドレイン電極は液晶素子１２０の一端たる画素電極１１８に接続されている。また、液晶素子１２０の他端は、対向電極１０８である。この対向電極１０８は、全ての画素１１０にわたって共通であって、本実施形態では電圧ＬＣcomに保たれている。
【００２２】
表示領域１００は、走査線１１２や、データ線１１４、トランジスタ１１６、画素電極１１８などが形成された素子基板と、対向電極１０８が形成された対向基板とが一定の間隙を保って、電極形成面が互いに対向するように貼り合わせられるとともに、この間隙に液晶１０５が封止された構成となっている（図示省略）。このため、本実施形態において液晶素子１２０は、画素電極１１８と対向電極１０８とが液晶１０５を挟持した構成となる。
なお、本実施形態では、素子基板に半導体基板を用い、対向基板にガラス等の透明基板を用いて、液晶素子１２０を反射型としたＬＣＯＳ（Liquid Crystal on Silicon）型である。
【００２３】
この構成において、走査線１１２に選択電圧（走査信号）を印加して、トランジスタ１１６（スイッチング素子）をオン（導通）させるとともに、画素電極１１８に、データ線１１４およびオン状態のトランジスタ１１６を介して、データ信号を供給すると、選択電圧を印加した走査線１１２とデータ信号を供給したデータ線１１４との交差に対応する液晶素子１２０には、当該データ信号の電圧と対向電極１０８に印加された電圧ＬＣcomとの差電圧が書き込まれる。なお、走査線１１２が非選択電圧になると、トランジスタ１１６がオフ（非導通）状態となるが、液晶素子１２０では、トランジスタ１１６が導通状態となったときに書き込まれた電圧が、その容量性により保持される。
【００２４】
本実施形態において、液晶素子１２０はノーマリーブラックモードに設定されている。このため、液晶素子１２０の反射率（透過型とした場合には透過率）は、画素電極１１８および対向電極１０８とによる差電圧の実効値が小さくなるにつれて暗くなり、電圧無印加状態においてほぼ黒色となる。ただし、本実施形態において、画素電極１１８には、上記差電圧を飽和電圧以上とさせるオン電圧、または、しきい値電圧以下のオフ電圧のいずれか一方の電圧のみが印加される。
【００２５】
ノーマリーブラックモードにおいて、最も暗い状態の反射率を相対反射率０％とし、最も明るい状態の反射率を相対反射率１００％としたとき、液晶素子１２０に印加される電圧のうち、相対反射率が１０％となる電圧を光学的しきい値電圧といい、相対反射率が９０％となる電圧を光学的飽和電圧という。電圧変調方式（アナログ駆動）において、液晶素子１２０を中間調（灰色）とさせる場合には、液晶１０５に光学的飽和電圧以下の電圧が印加されるように設計される。このため、液晶１０５の反射率は、液晶１０５の印加電圧にほぼ比例した値となる。
【００２６】
これに対して、本実施形態では、液晶素子１２０に印加する電圧としては、オン電圧とオフ電圧との２つのみを用いて階調表示が行われる。詳細には、本実施形態における階調表示は、１フィールドを複数のサブフィールドに分割するとともに、液晶素子１２０にオンまたはオフ電圧を印加する期間を、サブフィールドを単位として配分することによって実行される。
【００２７】
本実施形態において、オン電圧として用いる電圧は、飽和電圧の１〜１．５倍程度の電圧が用いられる。これは液晶の応答特性における立ち上がりが液晶素子に印加される電圧レベルとほぼ比例関係にあるから、液晶の応答特性を改善するために好ましいからである。
また、オフ電圧として用いる電圧は、液晶素子１２０の光学的しきい値電圧以下の電圧が用いられる。
【００２８】
なお、液晶素子の実際の反射率は、液晶の応答ゆえにオン電圧が印加される期間の積分値におおよそ比例するが、説明を簡略化するために、オン電圧が印加される期間に比例するものとして説明する場合がある。
【００２９】
＜サブフィールド構成＞
そこでまず、本実施形態におけるサブフィールドの構成について、図３を参照して説明する。ここで、図３は、本実施形態に係る電気光学装置におけるサブフィールドの構成を示す模式図である。
この図３において、１フィールドとは、１枚分の画像を形成するのに要する期間をいい、ノンインターレース方式におけるフレームと同義であって、１６．７ミリ秒（６０Ｈｚの１周波数分）で一定である。
【００３０】
この図３に示されるように、本実施形態において１フィールドの期間は、２４個のサブフィールド期間に分割されている。以下では、便宜的に、これら各サブフィールドについて、１フィールドの最初から順番にｓｆ１、ｓｆ２、ｓｆ３、…、ｓｆ２４と呼ぶことにする。
ここで、このようなサブフィールド期間を区画するために使用されるクロック信号の１周期を仮に１Ｈと表記することにすれば、例えば、１グループの期間長は２１６０Ｈと表記することが可能であり、あるいは、１フィールドの期間長は８６４０（＝２１６０×４）Ｈと表記することが可能である（クロック信号の周期の長さや、当該クロック信号をどのように使ってサブフィールド期間を区画するかは基本的に自由であるため、具体的数値がこれとは異なる場合があり得ることは言うまでもない。）。
【００３１】
＜変換テーブルの変換内容＞
次に、図４を参照して、階調表示を実際に行うための変換テーブル３０の変換内容について説明する。変換テーブル３０は表示すべき階調レベルとＳＦコードとを対応付けて記憶している。ＳＦコードは、サブフィールドｓｆ１〜ｓｆ２４毎に、液晶素子１２０にオン電圧またはオフ電圧のいずれかを指定する。これにより、メモリ２０から読み出された表示データＤaを、サブフィールドｓｆ１〜ｓｆ２４毎に、液晶素子１２０にオンまたはオフ電圧のいずれかを指定するデータＤＡＴＡ１，ＤＡＴＡ２，…，ＤＡＴＡ９６に変換される。その内実は、後述するデータ信号ｄ１，ｄ２，…，ｄ１９２０に等しい。データＤＡＴＡ１，ＤＡＴＡ２，…，ＤＡＴＡ９６と、データ信号ｄ１，ｄ２，…，ｄ１９２０との関係がどのように設定されるかは、本発明の特徴的な部分であるが、この点については後に説明する。
図４においては、「１」が液晶素子１２０にオン電圧を、「０」が液晶素子１２０のオフ電圧を、それぞれ印加することを指定する。例えば、階調レベルが「１２８」である場合、液晶素子１２０に対して、サブフィールドｓｆ１〜Ｓｆ９、ｓｆ１１でオン電圧を印加し、他のサブフィールドではオフ電圧を印加することが指定される。
本実施形態では、液晶の応答特性を考慮して階調レベルとＳＦコードとの対応付けが定められている。例えば、階調レベルが「１２８」と「１２９」とではオン電圧が印加される期間の長さは同一である（ともに、１０サブフィールド期間分がオン電圧印加期間である）が、後者ではサブフィールドＳｆ９からサブフィールドＳｆ１０にかけ連続してオン電圧が印加されるのに対して、前者ではサブフィールドＳｆ９の次にオフ電圧の印加期間たるサブフィールドＳｆ１０を挟んだ上で、その後再びオン電圧の印加期間たるサブフィールドＳｆ１１が訪れる、というようになっている。このように、オン電圧・オフ電圧の総印加期間が同じでも、その印加態様を異ならせることによって異なる階調が表現可能となるのは、連続印加の場合と断続印加の場合とで、液晶の応答が異なってくるからである。図４は、そのような応答特性への配慮に基づいて階調レベルとＳＦコードとの対応付けがなされている。
【００３２】
なお、人間の視覚特性は、対数的または指数的な性質を持つことが一般に知られている。このため、階調レベルが直線的に変化していても、人間の目にはそれが直線的に変化している、とは感じられないことがある。また、液晶素子や有機ＥＬ素子（Electronic Luminescence）などの表示素子では、電圧等がリニアに変化しても、表示素子の実際の明るさの変化は曲線的となる。
こうした事情から、表示装置においては、画素の階調を指定する階調レベルに対して、表示素子の明るさを、人間の視覚特性を考慮して曲線的な特性（γ特性）に変換することが一般的に行われる。このようなγ特性にしたがって階調を表現させると、人間の目で見て階調変化が直線的に現れるのである。ここで、γ特性におけるγ係数は、表示素子に液晶素子を用いる場合には「２．２」が理想的とされている。本実施形態では、上述した変換テーブル３０に従った表示データＤａからデータＤＡＴＡ１，ＤＡＴＡ２，…，ＤＡＴＡ９６への変換に際しては、そのような非線形特性に配慮がなされてもよい。
【００３３】
＜走査線駆動回路＞
次に、走査線駆動回路１３０は、サブフィールドｓｆ１〜ｓｆ２４の夫々において、順次排他的に有効となる走査信号Ｇ１、Ｇ２、…Ｇ１０８０を生成する。これによって、走査線１１２は、１、２、３、４、…、１０７９、１０８０行目という順番で選択される。走査信号Ｇ１、Ｇ２、…Ｇ１０８０が順次有効になると、１、２、３、４、…、１０７９、１０８０行目の画素１１０においてトランジスタ１１６がオン状態となる。このように行単位で複数の画素１１０が選択され、データ線１１４を介してデータ信号（信号電位）が画素電極１１８に書き込まれる。なお、各行の画素においてサブフィールドに相当する期間は、走査線１１２が選択されてオンまたはオフ電圧が書き込まれた後、再び走査線１１２が選択されるまでの期間である。
【００３４】
＜データ線駆動回路＞
次に、データ線駆動回路１４０は、前記走査線駆動回路１３０がサブフィールドｓｆ１〜ｓｆ２４の夫々において順次排他的に走査線１１２を選択していく動作に適当に同期しながら、データ信号ｄ１，ｄ２，…，ｄ１９２０をデータ線１１４に供給する。
このデータ線駆動回路１４０は、図５に示すように、シフトレジスタ１４１、サンプル・ホールド回路（以下、「Ｓ／Ｈ回路」と略称する。）１４２及びラッチ回路１４３を含む。
このうちＳ／Ｈ回路１４２は、図に示すように、複数のスイッチング素子１４２Ｓを含む。スイッチング素子１４２Ｓの全数は、本実施形態において、前述したデータ線１１４の数に一致する。つまり、１９２０個である。これらのスイッチング素子１４２Ｓの各々は、データＤＡＴＡ１，ＤＡＴＡ２，…，ＤＡＴＡ９６の各々が供給される前記信号線６５の各々に接続される。Ｓ／Ｈ回路１４２は、スイッチング素子１４２Ｓのオン状態・オフ状態間の遷移によって、データＤＡＴＡ１，ＤＡＴＡ２，…，ＤＡＴＡ９６の各々をサンプリングする。
【００３５】
シフトレジスタ１４１は、ゲート制御線１４５を介して前記各スイッチング素子１４２Ｓの制御端に接続される。ゲート制御線１４５は、図示するように全部で２０本ある。これらゲート制御線１４５は、例えばそのうちの１番目のゲート制御線１４５が、１番目，２１番目，４１番目，…，１９０１番目のスイッチング素子１４２Ｓに接続されるというように、一般に、ｐ番目のゲート制御線１４５（ｐ＝１，２，３，…，１９，２０）は、ｐ番目，（ｐ＋２０）番目，（ｐ＋４０）番目，…，（ｐ＋１９００）番目のスイッチング素子１４２Ｓに共通に接続される。シフトレジスタ１４１は、第１番目から第２０番目までの各々のゲート制御線１４５を順次排他的に選択していくことによって、１９２０個あるスイッチング素子１４２Ｓのうちの２０個ずつを順次オン状態に遷移させる。
【００３６】
ラッチ回路１４３は、Ｓ／Ｈ回路１４２によってサンプリングされたデータＤＡＴＡ１，ＤＡＴＡ２，…，ＤＡＴＡ９６をラッチする。データＤＡＴＡ１，ＤＡＴＡ２，…，ＤＡＴＡ９６のサンプリングは、前述したところから明らかなように、第１に、１９２０個あるスイッチング素子１４２Ｓのうちの２０個ずつについて行われ、第２に、この２０個ずつのサンプリングが１９２０個のスイッチング素子１４２Ｓの全部について行われるまで繰り返される、というように行われる。ラッチ回路１４３は、このような工程の結果得られるデータ信号ｄ１，ｄ２，…，ｄ１９２０（即ち、「データＤＡＴＡ１，…，ＤＡＴＡＳ９６」を１組としたとき、それが都合２０回供給された場合における全データのサンプリングの結果得られる信号）を、各データ線１１４に一斉に供給する。供給タイミングは、前述のように走査線駆動回路１３０による走査線１１２の選択と適当に同期される。制御回路１０は、これを司る。
【００３７】
なお、制御回路１０は、印加すべき電圧の極性を指定してもよい。すなわち、画素電極１１８及び対向電極１０８との間に常に一定方向の電界がかけられると、いわゆる焼き付き現象を起こすおそれがあるから、これら両電極（１１８，１０８）間には、適当な周期で、逆極性の電圧が印加されるようになっているのが好ましい。すなわち、第１，３，５，…期間では、画素電極１１８がプラス側、対向電極が１０８がマイナス側となり、第２，４，６，…期間では、その逆になる、というようである。この場合、例えば、対向電極１０８が基準電位ＬＣｃｏｍをもつとともに、図４に示した「１」は、正極性の場合のオン電圧Ｖｗ（＋）と負極性の場合のオン電圧Ｖｗ（−）との２つの場合を含み（｜ＬＣｃｏｍ−Ｖｗ（＋）｜＝｜ＬＣｃｏｍ−Ｖｗ（−）｜）を含み、同じく「０」は、正極性の場合のオフ電圧Ｖｂ（＋）と負極性の場合のオン電圧Ｖｂ（−）との２つの場合を含む（｜ＬＣｃｏｍ−Ｖｂ（＋）｜＝｜ＬＣｃｏｍ−Ｖｂ（−）｜であって、|Ｖｗ（＋）|＞|Ｖｂ（＋）|、かつ、|Ｖｗ（−）|＞|Ｖｂ（−）|）、などということになる。ちなみに、オン電圧たるＶｗ（＋）及びＶｗ（−）は、前述のように飽和電圧の１〜１．５倍程度の電圧が用いられて好適である。
なお、極性設定の実際は、図示はしないが、前記ラッチ回路１４３内の極性反転回路で行われてよく、あるいはより広くはデータ線駆動回路１４０内の極性反転回路で行われてもよい。また、図１の変換テーブル３０内の極性反転回路で行われてもよい。また、前述した、第１，３，５，…期間、あるいは第２，４，６，…期間の長さ、即ち換言すれば、極性反転の周期を、どのように設定するかは基本的に自由である。例えば、この周期は、“１サブフィールド期間”と定めることも可能である。
【００３８】
＜信号線６５におけるデータ転送＞
以上のような構成をもつ本実施形態に係る電気光学装置１においては、液晶パネル部４０とデータ信号生成回路部５０とを結ぶＦＰＣケーブル６０の信号線６５におけるデータ転送の態様について特徴がある。以下では、これについて、上で参照した各図面に加えて、新たに図６等を適宜参照しながら説明する。
【００３９】
本実施形態においては、各信号線６５には、表示領域１００上、Ｘ方向に沿って相互に隣接する画素１１０に供給されるべきデータ信号ｄｒ，ｄｒ＋１，…，ｄｒ＋２０（ｒ＝１，２１，４１，…，１８８１，１９０１。即ち、ｒは、初項１、公差２０の等差数列（ただし、最大値が１９０１）。）が、時間の進行を追って異なる機会に供給される。例えば、図６中最左端の信号線６５は、データＤＡＴＡ１として、ｄ１，ｄ２，…，ｄ２０の供給を時間の進行に応じて順次受ける。つまり、１回目の転送時にはＤＡＴＡ１＝ｄ１が供給され、２回目の転送時にはＤＡＴＡ１＝ｄ２が供給される…、などというようである。残りの信号線６５についても同様である。
このことから、１回目のデータ転送時には、図６に示すように、各信号線６５には、ｄ１，ｄ２１，ｄ４１，…，ｄ１８８１，ｄ１９０１をその内実とするデータＤＡＴＡ１，…，ＤＡＴＡ９６が同時に供給される。以下同様にして、時を同じくするデータ転送機会において、各信号線６５には、ｄｐ，ｄｐ＋２０，ｄｐ＋４０，…，ｄｐ＋１８８０，ｄｐ＋１９００（ｐ＝１，２，３，…，１９，２０）をその内実とするデータＤＡＴＡ１，…，ＤＡＴＡ９６が同時に供給されることになる。
【００４０】
このような結果、既に参照した図５と対比すると明らかなように、データ線駆動回路１４０は、１回目の転送機会においては、データ信号ｄ１，ｄ２１，ｄ４１，…，ｄ１８８１，ｄ１９０１をラッチし、２回目の転送機会においては、データ信号ｄ２，ｄ２２，ｄ４２，…，ｄ１８８２，ｄ１９０２をラッチする、というようにして（図６参照）、最終的に、全データ信号ｄ１，ｄ２，ｄ３，…，ｄ１９１９，ｄ１９２０をラッチした後、これをデータ線１１４に一斉に供給するという動作を行うことになる。
【００４１】
以下では、このようなデータ転送態様を前提として、具体的な画像を表示する場合、特にその場合に伴う信号線６５の電位変動の様子について説明する。
まず、図７の上方に示されるサークルパターンを表示する場合について説明する。このサークルパターンは、全面白色の背景画面の中心に黒色の円が描かれるパターンである。このようなサークルパターンを表示領域１００に描く場合であって、図中一点差線で示される一走査線１１２分の領域の画像を描く場合を考えると、各信号線６５に供給されるデータＤＡＴＡ１，ＤＡＴＡ２，…，ＤＡＴＡ９６に係る電位変動の様子は、図７の下方に示すようになる。この図をみるとわかるように、３６番目の信号線６５に第１０回目のデータ転送を行うとき、及び、６７番目の信号線６５に第１２回目のデータ転送を行うとき、を除いて、全時間にわたって各信号線６５における電位変動は生じない。ちなみに、電位変動が生じる前者の場合は、第７１０列目のデータ線１１４のために、黒（「０」）を内容とするデータ信号ｄ７１０を供給するときであり、後者の場合は、第１３３２列目のデータ線１１４のために、白（「１」）を内容とするデータ信号ｄ１３３２を供給するときである（図７の上方と対比参照）。
なお、この図７のサークルパターンは、真っ白と真っ黒としか存在しない画像であるから、図７の下方に示す信号線６５の電位変動の様子は、各サブフィールド期間Ｓｆ１，Ｓｆ２，…，Ｓｆ２４に関して共通と考えることができる。
【００４２】
これに対して、図８及び図９には、図６及び図７それぞれの比較例が示されている。
まず、図８においては、図６とは異なって、各信号線６５に、ある一時点において同時に供給されるデータ信号は、ｄｑ，ｄｑ＋１，ｄｑ＋２，…，ｄｑ＋９５，ｄｑ＋９６（ｑ＝１，９７，１９３，２８９，…，１７２９，１８２５。即ち、ｑは、初項１、公差９６の等差数列（ただし、最大値が１８２５）。）の一組である。したがって、例えば、図８中最左端の信号線６５は、データＤＡＴＡ１として、ｄ１，ｄ９７，…，ｄ１８２５の供給を、時間の進行に応じて順次受ける。
このようであると、図７の上方に示したサークルパターン中の一点差線で示される一走査線１１２分の領域の画像を表示するためには、各信号線６５に供給されるデータＤＡＴＡ１，ＤＡＴＡ２，…，ＤＡＴＡ９６に係る電位変動は、図９に示すようなものとなる。すなわち、当該電位変動は、９６本全部の信号線６５に関して必ず２度生じる。というのも、各信号線６５はいずれも、表示領域１００をＸ方向に横断するように、いわば飛び飛びのデータ信号を運ぶことから（図８参照）、その途上において、白色から黒色、また黒色から白色への変化を伴うデータ信号を必ず運ばなければならないことになるからである。例えば、１番目の信号線６５については、図９に示すように、第１回目から第７回目までのデータ転送時は白を内容とするデータ信号が供給され、第８回目から第１４回目までのデータ転送時は黒を内容とするデータ信号が供給され、第１５回目から第２０回目までのデータ転送時は、再び、白を内容とするデータ信号が供給される（図９の上方も参照。この１番目の信号線６５は、第６７３列目から第１２４９列目までのデータ線に対して、黒を内容とするデータ信号ｄ６７３，ｄ７６９，…，ｄ１２４９を供給しなければならない。）。
【００４３】
次に、図１０の上方に示される、Ｘ方向に沿って階調が一様、漸次に変化するグレイスケールを表示する場合について説明する。このような中間調を多分に含むグレイスケールにおいては、図７に示したようなサークルパターンのような単純な画像とは異なって、図３及び図４を参照して説明した、各サブフィールド期間Ｓｆ１，Ｓｆ２，…，Ｓｆ２４におけるオン電圧・オフ電圧の印加時間・印加態様に関する制御が、いわばより活発に行われることになる。この場合は、２４個のサブフィールド期間Ｓｆ１，Ｓｆ２，…，Ｓｆ２４が協働することによって、中間調を含む１個の画像が構成されることになるが、その１個１個のサブフィールド期間に限ってみれば、モノトーンの画像が表現されているに過ぎない。図１０には、最上方に示されるグレイスケールを表示するための２４個のサブフィールド期間の中から、１個のサブフィールド期間Ｓｆ１０だけを抜き出してみた場合におけるモノトーン画像の様子が併せ描かれている。
このようなモノトーン画像を表示領域１００に描く場合であって、図中一点差線で示される一走査線１１２分の領域の画像を描く場合を考えると、各信号線６５に供給されるデータＤＡＴＡ１，ＤＡＴＡ２，…，ＤＡＴＡ９６に係る電位変動の様子は、図１０の下方に示すようになる。この図によっても、上記サークルパターンの場合と同様、各信号線６５における電位変動の頻度は、比較的少ないことがわかる。すなわち、図１０に示される限りにおいては、４７番目及び４８番目の信号線６５について電位変動が生じているだけである（図１０の上方も参照。例えば、４７番目の信号線６５は、データ信号ｄ９２６からデータ信号ｄ９２７への変化 及び データ信号ｄ９３４からデータ信号ｄ９３５への変化に際し、電位変動を経験する。）。
【００４４】
これに対して、図１０の比較例であって、前述した図８に示すデータ転送例を前提とする図１１の場合には、同じモノトーン画像を表示する場合でも、電位変動が、９６本全部の信号線６５に関して必ず生じていることがわかる。その理由は、図９の場合と同様である。すなわち、この場合も、各信号線６５はいずれも、表示領域１００をＸ方向に横断するように、いわば飛び飛びのデータ信号を運ぶことになるからである（図８参照）。この場合、いずれの信号線６５も、当初は白を内容とするデータ信号の供給を受けることになるが、一番最後においては、黒を内容とするデータ信号の供給を受けることになるから、全信号線６５について電位変動が生じてしまうのである。
【００４５】
以上のようなことから、本実施形態に係る電気光学装置によれば、ＦＰＣケーブル６０の信号線６５において生じる電位変動の回数が、従来に比べて格段に減少することから、その電位変動に起因して生じる放射ノイズの発生を極めて実効的に抑制することができる、という効果が奏される。これは、本実施形態に係る各信号線６５には、表示領域１００上、Ｘ方向に沿って相互に隣接する画素１１０に向けて供給されるべきデータ信号ｄｒ，ｄｒ＋１，…，ｄｒ＋２０（ｒ＝１，２１，４１，…，１８８１，１９０１）が、時間の進行を追って異なる機会に供給されるようになっているからである。
【００４６】
なお、このような効果は、本実施形態に係る電気光学装置１がサブフィールド駆動されることから、極めて有意義に享受される。というのも、サブフィールド駆動では、アナログ駆動に比べて、データ転送回数が必然的に増大して高周波駆動を行う必要が生じ、放射ノイズの問題はより深刻になってしまうからである。そのような不利な状況下にあるにかかわらず、本実施形態では、信号線６５に生じる電位変動の回数を減らすことができ、その結果、放射ノイズの発生を抑制することができるのである。
また、本実施形態において、信号線６５はＦＰＣケーブル６０を構成するものとなっていることも、前記効果の極めて有意義な享受を可能とする。なぜならば、ＦＰＣケーブル６０において発生する放射ノイズの問題はより深刻な影響を外部にもたらす可能性が大きいからである。本実施形態においては、このような問題の深刻化を未然に防いでいる。
【００４７】
ちなみに、以上に述べたような効果は、図７及び図９に示したようなサークルパターンやグレイスケールを表示するといった特殊な場合だけにおいて享受可能であるというわけではない。一般に、ある１枚の静止画像を想定すると、その画像内における空間的な階調変化は、隣り合う画素同士間で見る限り、僅かであることが多い。つまり、当該静止画像は、全体的にみて、いわばグラデーションの塊が集合したものと呼べることが多く、当該画像内の限定された一領域内において激しく階調変化が生じる可能性は小さいのである。例えば空飛ぶ飛行機の風景画では、空を表現している部分は青一色、あるいはそのグラデーションの塊とみることができるし、同様のことは、飛行機を表現している部分についてもいえる。このようであるから、本発明のように、ある特定の信号線に対して、隣接する画素に対応するデータ信号が継時的に順次に供給されるようになっているのであれば、その信号線に生じる電位変動は小さくなることがほぼ確実に推測されるのである。
これに対して、図８に示すようなデータ転送例では、たとえ静止画像がグラデーションの塊の集合であるとしても、ある特定の信号線には、飛び飛びのデータ信号が供給される、換言すると、当該静止画像上、相互に離れた場所に位置する画素に係るデータ信号が供給されることから、その電位変動の頻度は大きくなる可能性が極めて高くなる。
このように、本発明によれば、一般の画像においても、上述したような効果が同様に奏されるのである。
【００４８】
以上、本発明に係る実施の形態について説明したが、本発明に係る電気光学装置は、上述した形態に限定されることはなく、各種の変形が可能である。
上記実施形態においては、Ｘ方向（例えば図１参照）に並ぶ画素１１０ないしデータ線１１４の数が１９２０であり、かつ、信号線６５の数が、この１９２０を２０で割った９６である場合について説明しているが、本発明は、かかる形態に限定されない。
この場合、本発明が具体的な数値に限定されないということは言うまでもなく、本発明は更に、画素１１０の数が、信号線６５の数によって割り切れなければならないという制限も設けない。例えば、上記実施形態に即して簡単な例を挙げれば、Ｘ方向に沿って数えられた画素１１０の数が１９２１であり、信号線６５の数が９６である場合等である。
【００４９】
＜応用＞
次に、本発明に係る電気光学装置を適用した電子機器について説明する。
図１２は、上記実施形態に係る電気光学装置を画像表示装置に利用したモバイル型のパーソナルコンピュータの構成を示す斜視図である。パーソナルコンピュータ２０００は、表示装置としての電気光学装置１と本体部２０１０とを備える。本体部２０１０には、電源スイッチ２００１およびキーボード２００２が設けられている。
図１３に、上記実施形態に係る電気光学装置を適用した携帯電話機を示す。携帯電話機３０００は、複数の操作ボタン３００１およびスクロールボタン３００２、ならびに表示装置としての電気光学装置１を備える。スクロールボタン３００２を操作することによって、電気光学装置１に表示される画面がスクロールされる。
図１４に、上記実施形態に係る電気光学装置を適用した情報携帯端末（ＰＤＡ：Personal  Digital  Assistant）を示す。情報携帯端末４０００は、複数の操作ボタン４００１および電源スイッチ４００２、ならびに表示装置としての電気光学装置１を備える。電源スイッチ４００２を操作すると、住所録やスケジュール帳といった各種の情報が電気光学装置１に表示される。
【００５０】
本発明に係る電気光学装置が適用される電子機器としては、図１２から図１４に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、ビデオプレーヤ、タッチパネルを備えた機器等が挙げられる。
【符号の説明】
【００５１】
１…電気光学装置、１０…制御回路、２０…メモリ、３０…変換テーブル、４０……液晶パネル部、５０……データ信号生成回路部、６０……ＦＰＣケーブル、６５……信号線、１００…表示領域、１０５…液晶、１０８…対向電極、１１０…画素、１１２…走査線、１１４…データ線、１１６…トランジスタ、１１８…画素電極、１２０…液晶容量、１３０…走査線駆動回路、１４０…データ線駆動回路、１４１……シフトレジスタ、１４２……Ｓ／Ｈ回路、１４２Ｓ……スイッチング素子、１４３……ラッチ回路、１４５……ゲート制御線
【図１】
2011107299.tif 000003
【図２】
2011107299.tif 000004
【図３】
2011107299.tif 000005
【図４】
2011107299.tif 000006
【図５】
2011107299.tif 000007
【図６】
2011107299.tif 000008
【図７】
2011107299.tif 000009
【図８】
2011107299.tif 000010
【図９】
2011107299.tif 000011
【図１０】
2011107299.tif 000012
【図１１】
2011107299.tif 000013
【図１２】
2011107299.tif 000014
【図１３】
2011107299.tif 000015
【図１４】
2011107299.tif 000016